(57)【要約】【課題】収納した割れ物類の位置固定機能を低下させることなく緩衝性能を高め、繰り返し使用可能にして環境保全という社会的要請に応える引越用割れ物類収納ボックスを提供する。【解決手段】折り畳み可能な箱本体１と、箱本体１に収納される割れ物類を運搬の際の衝撃から緩衝するクッション材とを備えている。クッション材は、発泡プラスチックでマット形に形成され、箱本体１の底面１ｃに敷設される底側クッション材２と、プラスチックの微小な粒子を内蔵して袋形に形成され、箱本体１に収納される割れ物類に被せる天側クッション材３とからなる。【選択図】                図１
2004331142.tif 000002
【特許請求の範囲】
【請求項１】
折り畳み可能な箱本体と、その箱本体に収納される割れ物類を運搬の際の衝撃から緩衝するクッション材とを備えた引越用割れ物類収納ボックスにおいて、前記クッション材は、発泡プラスチックでマット形に形成され、前記箱本体の底面に敷設される底側クッション材と、プラスチックの微小な粒子を内蔵して袋形に形成され、前記箱本体に収納される割れ物類に被せる天側クッション材とからなることを特徴とする、引越用割れ物類収納ボックス。
【請求項２】
折り畳み可能な箱本体と、その箱本体に収納される割れ物類を運搬の際の衝撃から緩衝するクッション材とを備えた引越用割れ物類収納ボックスにおいて、前記クッション材は、発泡プラスチックでマット形に形成され、前記箱本体の底面に敷設される底側クッション材と、プラスチックの微小な粒子を内蔵して袋形に形成され、前記箱本体に収納される割れ物類に被せる天側クッション材と、流体の注入で膨張する袋形に形成され、前記天側クッション材上に積層される天側補助クッション材とからなることを特徴とする、引越用割れ物類収納ボックス。
【請求項３】
請求項１又は２の引越用割れ物類収納ボックスにおいて、発泡プラスチックでマット形に形成され、前記天側クッション材または前記天側補助クッション材の上に積層される調整用クッション材を備えていることを特徴とする、引越用割れ物類収納ボックス。
【請求項４】
請求項１〜３のいずれかの引越用割れ物類収納ボックスにおいて、前記箱本体は、前記底側クッション材，前記天側クッション材，前記天側補助クッション材，前記調整用クッション材の膨張力に耐える止具付きの蓋が備えられていることを特徴とする、引越用割れ物類収納ボックス。
【発明の詳細な説明】
【０００１】
【発明の属する技術分野】本発明は、食器など割れ物類の中でも、その大きさや形状や種類などが不揃いの割れ物類を収納し衝撃を緩衝して運搬するのに好適な引越用割れ物類収納ボックスに関する。
【０００２】
【従来の技術】引越時、食器など不揃いの割れ物類を梱包して運搬する際には、一般に、割れ物類を緩衝のために新聞紙で包んでから紙製段ボール箱に収納することが行われている。これら梱包資材の新聞紙，紙製段ボール箱については、通常、引越に使用後は廃棄されている。従って、それだけ大量にゴミが発生し、重大な環境問題になっている。しかも、紙資源を無駄にして非常に不経済であるとともに、物品の個別包装のために梱包作業が面倒であるという状況がある。このため、繰返し使用して廃棄物を出さないようにすると共に、梱包・開梱作業を容易にする収納箱の開発が切望されている。
【０００３】
従来、繰返し使用できるようにして廃棄物を出さないこと、梱包・開梱作業を容易にすることを指向した収納箱としては、例えば、以下に記載のものが知られている。
【特許文献１】特開平８−２５２４号公報
特許文献１には、プラスチックフレームにプラスチック段ボールを張付けて箱本体の壁面を形成し、壁面を屈曲，傾倒させることで折畳み可能にした収納箱が記載されている。特許文献１に係る収納箱は、運搬の後に折り畳んで保管しておき、必要時に直ちに組立てることができるため、繰返し使用することが可能である。
【特許文献２】特開平７−３００１５号公報。
特許文献２には、箱本体に収納された食器類等の収納物に被せる空気袋からなるクッション材を備えた収納箱が記載されている。特許文献２に係る収納箱は、クッション材を自由変形可能なものとして汎用性をもたせ繰返し使用することを可能にすると共に、収納物に全体に被せられ個別包装を不要にして梱包作業を容易にする。
【０００４】
【発明が解決しようとする課題】ところが、特許文献１，特許文献２に係る収納箱を組み合わせて使用した場合、箱本体の底側からの衝撃の緩衝性能が低くなるという問題点がある。また、クッション材の緩衝性能を高めようとすると、収納物の位置固定機能が低下して、箱本体の中で収納物がクッション材と一体的に揺動してしまうというという課題があった。
【０００５】
本発明は、このような問題点を考慮してなされたもので、収納した不揃いの割れ物類の位置固定機能を低下させることなく緩衝性能を高め、しかも、ゴミを発生させずに環境を保全する社会的要請に十分適合する引越用割れ物類収納ボックスを提供することを課題とする。
【０００６】
【課題を解決するための手段】前述の課題を解決するため、本発明に係る引越用割れ物類収納ボックスは、次のような手段を採用する。
【０００７】
即ち、請求項１では、折り畳み可能な箱本体と、その箱本体に収納される割れ物類を運搬の際の衝撃から緩衝するクッション材とを備えた引越用割れ物類収納ボックスにおいて、前記クッション材は、発泡プラスチックでマット形に形成され、前記箱本体の底面に敷設される底側クッション材と、プラスチックの微小な粒子を内蔵して袋形に形成され、前記箱本体に収納される割れ物類に被せる天側クッション材とからなることを特徴とする。
【０００８】
この手段では、相対的に自由変形量の少ない底側クッション材と、微小な粒子による相対的に自由変形量の多い天側クッション材とが組み合わされる。
【０００９】
また、請求項２では、折り畳み可能な箱本体と、その箱本体に収納される割れ物類を運搬の際の衝撃から緩衝するクッション材とを備えた引越用割れ物類収納ボックスにおいて、前記クッション材は、発泡プラスチックでマット形に形成され、前記箱本体の底面に敷設される底側クッション材と、プラスチックの微小な粒子を内蔵して袋形に形成され、前記箱本体に収納される割れ物類に被せる天側クッション材と、流体の注入で膨張する袋形に形成され、前記天側クッション材上に積層される天側補助クッション材とからなることを特徴とする。
【００１０】
この手段では、天側が天側クッション材と，天側補助クッション材の積層構造となる。
【００１１】
また、請求項３では、請求項１又は２の引越用割れ物類収納ボックスにおいて、発泡プラスチックでマット形に形成され、前記天側クッション材または前記天側補助クッション材の上に積層される調整用クッション材を備えていることを特徴とする。
【００１２】
この手段では、調整用クッション材によって箱本体の内部の無用の空隙が充填される。
【００１３】
また、請求項４では、請求項１〜３のいずれかの引越用割れ物類収納ボックスにおいて、前記箱本体は、前記底側クッション材，前記天側クッション材，前記天側補助クッション材，前記調整用クッション材の膨張力に耐える止具付きの蓋が備えられていることを特徴とする。
【００１４】
この手段では、止具付きの蓋が、箱本体からの底側クッション材，天側クッション材，天側補助クッション材，調整用クッション材の不測の飛出しを防止する。
【００１５】
【発明の実施の形態】以下、本発明に係る引越用割れ物類収納ボックスの実施の形態を図面に基づいて説明する。
【００１６】
図１〜図１２は、本発明に係る引越用割れ物類収納ボックスの実施の形態（１）を示すものである。
【００１７】
この実施の形態では、特許文献１に係る収納箱に近似した箱本体１を備えたものを示してある。
【００１８】
この実施の形態は、図１に示すように、箱本体１，底側クッション材２，天側クッション材３，調整クッション材４で構成されている。
【００１９】
箱本体１は、プラスチックフレームからなる上枠１ａと柱枠１ｂとに、プラスチック段ボールからなる底板（底面）１ｃ，側板１ｄ，１ｅ，蓋（天板）１ｆを張付けて方形の箱形に形成されている。長手側の側板１ｄは、底板１ｃに連続し屈曲して立上げられたもので、３本の切込線１ｇ（外側面から切込みが２本、内側面からの切込みが１本）が設けられて３つ折りに折り畳むことができるようになっている。短手側の側板１ｅは、底板１ｃとは切断されたもので、上枠１ａ沿いに切込線（図示せず）が設けられて上枠１ａ付近を支点として傾倒されるようになっている。蓋１ｆは、１枚の長手側の側板１ｄに連続したもので、側板１ｄとの境界線に切込線１ｈが設けられて上枠１ａに対して開閉されるようになっている。これ等の切込線１ｇ，１ｈは、２枚のライナの間に中芯が介装されたプラスチック段ボールの１枚のライナと中芯とを切断することによって、残る１枚のライナを薄肉ヒンジとして機能させたものである。短手側の側板１ｅには、上枠１ａに取付けられた取手１ｉに形成された係止突起（図示せず）が折畳み状態を保持するために係止する係止溝１ｊが刻設されている。蓋１ｆには、上枠１ａに取付けられた止具１ｋに掛けられる掛孔１ｌ付きの耳片１ｍが設けられている。なお、上枠１ａには、段積用の位置決めコーナ１ｎが取付けられている。
【００２０】
底側クッション材２は、発泡プラスチック（例えば、発泡ウレタン樹脂）で箱本体１の底板１ｃに対応した形状のマット形に形成されている。
【００２１】
天側クッション材３は、プラスチックの微小な粒子（例えば、直径０．５ｍｍ程度の発泡ポリスチレン）が薄性布の内部に内蔵され箱本体１の底板１ｃに対応した形状の袋形に形成されている。この天側クッション材３は、ビーズクッション，パウダービーズクッション等として提供されているものである。
【００２２】
調整クッション材４は、発泡プラスチック（例えば、発泡ウレタン樹脂）で箱本体１の底板１ｃに対応した形状のマット形に形成されている。この調整クッション材４については、底側クッション材２よりも厚さを薄くして複数枚備えるのが好ましい。
【００２３】
この実施の形態を使用するには、まず、図２に示すように、蓋１ｆを開いた箱本体１の底板１ｃに底側クッション材２を敷設する。
【００２４】
続いて、図３に示すように、食器など不揃いの割れ物類Ｐを、底側クッション材２の上に載せるようにして箱本体１の内部に収納する。このとき、発泡構造で粗面になっている底側クッション材２との摩擦によって、収納物Ｐが滑り移動することはない。従って、割れ物類Ｐの箱本体１へ収納作業で割れ物類Ｐを不測に衝突させて損壊することはない。
【００２５】
続いて、図４に示すように、割れ物類Ｐの上に天側クッション材３を載せるようにして、天側クッション材３を箱本体１の内部に充填する。充填された天側クッション材３は、不揃いな割れ物類Ｐの凹凸に対応したプラスチックの微小な粒子の流動によって、割れ物類Ｐの凹凸を埋めるように自由変形する。
【００２６】
この後、箱本体１の蓋１ｆと天側クッション材３との間に空隙が形成される場合には、図５に示すように、天側クッション材３の上に積層するように調整クッション材４を充填する
【００２７】
そして、図６に示すように、箱本体１の蓋１ｆを閉めて止具１ｋを掛ける。この結果、梱包が完了する。なお、止具１ｋは、箱本体１の内部にある底側クッション材２，天側クッション材３，調整クッション材４に膨張力に抗して、蓋１ｆの不測の開放を阻止する。従って、梱包状態が安定的に保持される。
【００２８】
この実施の形態の梱包状態によると、図７に示すように、底側クッション材２が底側からの割れ物類Ｐへの衝撃を緩衝するため、緩衝性能が高くなる。特に、底側クッション材２，天側クッション材３で上下方向から緩衝を実行し、相対的に底側クッション材２よりも天側クッション材３の方が、自由変形量が多くて緩衝性能が高く、割れ物類Ｐを上下方向から必要以上に加圧することがないため、緩衝性能が非常に高くなる。また、粗面からなる底側クッション材２の割れ物類Ｐの位置固定機能に加えて、天側クッション材３が大きく変形して特に側方からの支え力を付与するため、収納物Ｐの位置固定機能が充分に機能する。
【００２９】
なお、この梱包状態については、図８に示すように、箱本体１の位置決めコーナ１ｎを利用して段積みすることが可能である。
【００３０】
運搬先で、割れ物類Ｐ（底側クッション材２，天側クッション材３，調整クッション材４も）を箱本体１から取出した後には、箱本体１の短手側の側板１ｅを傾倒させ（図９，図１０参照）、箱本体１の長手側の側１ｄを３つ折りにすることで（図１１参照）、箱本体１を薄い箱体に減容させることができる（図１２参照）。従って、容積をとられことなく保管しておき、必要時に直ちに組立て使用することができるため、繰返し使用が可能になる。なお、底側クッション材２，天側クッション材３，調整クッション材４についても、梱包作業，開梱作業で損壊されることがないため、繰返し使用が可能である。この結果、ゴミを一切発生させず環境に優しく、紙資源を無駄にして不経済である状況を改善することができるとともに、不揃いな割れ物類Ｐの個別包装が不要で梱包作業が容易になる。
【００３１】
図１３，図１４は、本発明に係る引越用割れ物類収納ボックスの実施の形態（２）を示すものである。
【００３２】
この実施の形態では、天側クッション材３に空気等の流体の注入で膨張する袋形に形成された天側補助クッション材５を備えている。天側補助クッション材５は、膨縮可能な袋部５ａに弁構造を有する注入筒５ｂが接続されている。
【００３３】
さらに、この実施の形態では、箱本体１において長手側の側板１ｄの上部に、開閉可能な窓板１ｏを形成してある。
【００３４】
この他の実施の形態では、箱本体１の蓋１ｆを閉める前に、窓板１ｏを開いて天側補助クッション材５の注入筒５ｂから袋部５ａに流体を注入して、天側補助クッション材５を、必要な大きさに膨張させることになる。この結果、天側補助クッション材５が天側クッション材３を押圧（加圧）して、天側クッション材３のプラスチックの微小な粒子の流動を促進させる。従って、天側クッション材３が納物Ｐの凹凸に対応してより精密に自由変形して、より高い緩衝性能を奏するとともに、割れ物類Ｐの位置固定機能もより確実に奏される。
【００３５】
なお、天側補助クッション材５自体が緩衝機能を備えているため、緩衝性能がより高くなる。また、天側補助クッション材５に注入される流体量を調整することで膨張量を変化させることができるため、割れ物類Ｐに対応した緩衝性能の調整が可能になる。
【００３６】
また、天側補助クッション材５については、前述した実施の形態（１）の調整クッション材４の機能をも保持しているため、調整クッション材４を省略することもできる。さらに、箱本体１の蓋１ｆを閉じてから、天側補助クッション材５に流体を注入する使用形態を採ることも可能である。
【００３７】
【発明の効果】以上のように、本発明に係る引越用割れ物類収納ボックスは、請求項１として、相対的に自由変形量の少ない底側クッション材と微小な粒子による相対的に自由変形量の多い天側クッション材とが組み合わされるため、収納した割れ物類の位置固定機能を低下させることなく、緩衝性能を高めることができる効果がある。
【００３８】
加えて、請求項１によれば、（１）新聞紙や段ボール紙など、使い捨て梱包資材を全く必要とせず、従来のように使用後に梱包資材のゴミを発生させることが、一切なく、その結果、引越事業においても、資源の有効利用を実現して環境を保全する昨今の社会的要請に十分応えることができる。（２）梱包・開梱作業を手間なく簡単にして全体の引越作業効率を格段に向上させることができる。（３）使い捨て梱包資材を一切必要とせず、頻繁に行われる引越業務にあって、繰り返し使用することができる結果、それだけ梱包資材費を削減して全体の引越コストを著しく低減させる効果がある。
【００３９】
さらに、請求項２として、請求項１の効果に加えて、天側が天側クッション材，天側補助クッション材の積層構造となるため、緩衝性能がより高くなる効果がある。
【００４０】
さらに、請求項３として、調整用クッション材によって箱本体の内部の無用な空隙が充填されるため、緩衝機能がより高くなる効果がある。
【００４１】
さらに、請求項４として、止具付きの蓋が、箱本体からの底側クッション材，天側クッション材，天側補助クッション材，調整用クッション材の不測の飛出しを防止するため、梱包状態が安定的に保持される効果がある。
【図面の簡単な説明】
【図１】本発明に係る引越用割れ物類収納ボックスの実施の形態（１）を示す斜視図である。
【図２】図１の使用例における最初の作業を示す図である。
【図３】図２に続く作業を示す図である。
【図４】図３に続く作業を示す図である。
【図５】図４に続く作業を示す図である。
【図６】図５に続く作業を示す図である。
【図７】図６の簡略断面図である。
【図８】図６の段積み例を示す図である。
【図９】図１の要部の折り畳み例の最初の作業を示す図である。
【図１０】図９に続く作業を示す図である。
【図１１】図１０に続く作業を示す図である。
【図１２】図１１に続く作業を示す図である。
【図１３】本発明に係る引越用割れ物類収納ボックスの実施の形態（２）を示す斜視図である。である。
【図１４】図１３の使用例を示す図である。
【符号の説明】
１                箱本体
１ｆ          蓋
１ｋ          止具
２                底側クッション材
３            天側クッション材
４            調整クッション材
５            天側補助クッション材
Ｐ            割れ物類
【図１】
2004331142.tif 000003
【図２】
2004331142.tif 000004
【図３】
2004331142.tif 000005
【図４】
2004331142.tif 000006
【図５】
2004331142.tif 000007
【図６】
2004331142.tif 000008
【図７】
2004331142.tif 000009
【図８】
2004331142.tif 000010
【図９】
2004331142.tif 000011
【図１０】
2004331142.tif 000012
【図１１】
2004331142.tif 000013
【図１２】
2004331142.tif 000014
【図１３】
2004331142.tif 000015
【図１４】
2004331142.tif 000016